(57)【要約】【課題】新聞の排出位置が異なる新聞包装機にも容易に対応できるようにする。【解決手段】新聞をフィルムで包装する新聞包装機４０に隣設され、新聞包装機４０から排出された新聞を積載する新聞受け部５を、排出された新聞を受ける待機位置と、その待機位置よりも上方の上限位置との間で昇降可能に備えた新聞包装機用昇降機１であって、新聞受け部５の待機位置を、新聞包装機４０からの新聞の排出位置に合わせて変更可能とした。【選択図】図７
2013124163.tif 000002
【特許請求の範囲】
【請求項１】
新聞をフィルムで包装する新聞包装機に隣設され、前記新聞包装機から排出された新聞を積載する新聞受け部を、前記排出された新聞を受ける待機位置と、その待機位置よりも上方の上限位置との間で昇降可能に備えた新聞包装機用昇降機であって、
前記新聞受け部の前記待機位置を、前記新聞包装機からの前記新聞の排出位置に合わせて変更可能としたことを特徴とする新聞包装機用昇降機。
【発明の詳細な説明】
【技術分野】
【０００１】
本発明は、新聞をフィルムで包装する新聞包装機に隣設され、新聞包装機から排出された新聞を積載して所定高さへ運搬可能な新聞包装機用昇降機に関する。
【背景技術】
【０００２】
新聞包装機は、本体の上部から供給された新聞をフィルムで包装した後、本体下部の排出口から排出し、本体の下部に設けた新聞受け部に積載するものである（新聞包装機及び新聞受け部の例として特許文献１参照）。包装した新聞がある程度貯留すると、新聞受け部から取り出して配送に回される。
【先行技術文献】
【特許文献】
【０００３】
【特許文献１】特開２００５−２８０８１９号公報
【発明の概要】
【発明が解決しようとする課題】
【０００４】
しかし、新聞受け部に積載した新聞は重量が重く、一度に運搬するには作業者には大きな負担となっている。そこで、新聞受け部を昇降可能とする昇降機を隣設して新聞受け部を上昇させるようにすれば負担は軽減されるが、新聞包装機には新聞の排出位置が異なるタイプのものがあるため、排出位置に合わせた待機位置に新聞受け部を有する昇降機を新聞包装機のタイプ毎に用意する必要があり、コスト高となっていた。
【０００５】
そこで、本発明は、新聞の排出位置が異なる新聞包装機にも容易に対応でき、汎用性に優れた新聞包装機用昇降機を提供することを目的としたものである。
【課題を解決するための手段】
【０００６】
上記目的を達成するために、請求項１に記載の発明は、新聞をフィルムで包装する新聞包装機に隣設され、新聞包装機から排出された新聞を積載する新聞受け部を、排出された新聞を受ける待機位置と、その待機位置よりも上方の上限位置との間で昇降可能に備えた新聞包装機用昇降機であって、新聞受け部の待機位置を、新聞包装機からの新聞の排出位置に合わせて変更可能としたことを特徴とするものである。
【発明の効果】
【０００７】
請求項１に記載の発明によれば、新聞受け部の待機位置を、新聞包装機からの新聞の排出位置に合わせて変更可能としたことで、新聞の排出位置が異なる新聞包装機にも容易に対応して使用でき、汎用性に優れる。
【図面の簡単な説明】
【０００８】
【図１】新聞包装機用昇降機の正面図である。
【図２】新聞包装機用昇降機の斜視図である。
【図３】前板等を省略した新聞包装機用昇降機の正面図である。
【図４】前板等を省略した新聞包装機用昇降機の斜視図である。
【図５】新聞包装機用昇降機の側面図である。
【図６】電気的構成のブロック図である。
【図７】新聞包装機に隣設した状態を示す正面図である。
【図８】新聞包装機に隣設した状態を示す斜視図である。
【図９】新聞包装機に隣設した状態を示す正面図である。
【図１０】新聞包装機に隣設した状態を示す斜視図である。
【発明を実施するための形態】
【０００９】
以下、本発明の実施の形態を図面に基づいて説明する。
図１は、新聞包装機用昇降機の一例を示す正面図、図２は斜視図、図３，４は本体の一部を省略した正面図及び斜視図である。新聞包装機用昇降機（以下単に「昇降機」と言う。）１は、平面視四角形状のベース２上に、縦長直方体状の本体３を立設し、本体３の前方に、側面視がＬ字状の昇降台４を昇降可能に支持してなる。昇降台４の前方への突出部分には、正面視で右上がりとなる傾斜が付与されている。この突出部分に、正面視がＬ字状となる板状の新聞受け部５が取り付けられ、新聞受け部５の底面には、新聞の積載によってＯＮするペーパースイッチ６が設けられている。
【００１０】
７は、本体３内に設けられたモータで、本体３の左側の側板へ横向きに固着されて、本体３側方のギヤボックス９内に突出した出力軸にプーリ８が取り付けられている。本体３内の上下には、左右方向の回転軸１０，１１が回転可能に軸支されて、下側の回転軸１１のギヤボックス９内に突出させた左側端部には、プーリ１２が取り付けられて、プーリ８，１２間に張設されたチェーン１３により、出力軸の回転が回転軸１１に伝達可能となっている。上下の回転軸１０，１１の左右両端には、一対のスプロケット１４，１４がそれぞれ固着されて、左側のスプロケット１４，１４間と右側のスプロケット１４，１４間とにチェーン１５がそれぞれ張設されている。
【００１１】
よって、回転軸１１の回転に伴い、左右のチェーン１５，１５がそれぞれ上下のスプロケット１４，１４間で同調して回転可能となる。左右のチェーン１５，１５の前側には、昇降台４の背面に位置する連結板１６が連結されて、連結板１６と昇降台４とは、前板に設けたスリットを貫通する連結金具１７，１７によって互いに連結されている。よって、チェーン１５，１５の回転に伴い、連結板１６を介して昇降台４及び新聞受け部５も一体に昇降することになる。
【００１２】
一方、本体３内において、上側の回転軸１０の下方には、図５にも示すように、上限スイッチ１８が、下側の回転軸１１の上方には、下限スイッチ１９がそれぞれ設けられて、連結板１６の昇降に伴い、連結板１６の背面に設けた当接板２０がそれぞれのスイッチ１８，１９に当接してＯＮさせることで、新聞受け部５の上限位置及び下限位置への到達を検出可能となっている。また、２１は上限スイッチ１８の右側に設置された非接触式の中間センサで、上限位置よりも下方で、連結板１６の背面に設けた検出板２２が検出可能となっている。
さらに、ギヤボックス９において、モータ７の出力軸のプーリ８よりも外側には、外周部にスリットを形成した回転板２３が設けられて、この回転板２３の外周部を挟んで配置された光源２４及び光センサ２５と共にエンコーダ２６を形成している。
【００１３】
図６は、昇降機１の電気的構成を示すブロック図で、上限スイッチ１８及び下限スイッチ１９、ペーパースイッチ６のＯＮ信号、中間センサ２１の検出信号、エンコーダ２６のパルス信号は、それぞれ周知のＭＣユニット（モーションコントロールユニット）３０に入力される。ＭＣユニット３０には、フットスイッチ２７が電気的接続されて、フットスイッチ２７の押し操作によるＯＮ信号も入力されるようになっている。
３１は、本体３の上面に設けられた操作パネルで、上昇キー、下降キー、停止キーを備える他、高さ調整用の＋−キーや、新聞包装機に応じた待機位置を選択するモード選択キーも設けられている。
【００１４】
以上の如く構成された昇降機１においては、図７，８に示すように、新聞の排出位置Ｐが下側となる新聞包装機４０に対して使用する場合は、モード選択キーで通常モードを選択する。この場合、下限スイッチ１９がＯＮする昇降台４の下限位置が待機位置となる。  この通常モードでは、昇降機１に電源を投入した際、下限スイッチ１９がＯＮしていなければ、すなわち新聞受け部５が下限位置になければ、ＭＣユニット３０は、下限スイッチ１９がＯＮになるまでモータ７を駆動させて昇降台４を下降させる。なお、新聞受け部５に新聞が載せられていない（ペーパースイッチ６がＯＦＦ）状態で新聞受け部５が下限位置にない場合は、フットスイッチ２７を押すことでもＭＣユニット３０は下限スイッチ１９がＯＮになるまで昇降台４を下降させる。
【００１５】
こうして新聞受け部５が下限位置にある状態で、新聞包装機４０でフィルムで包装されて排出される新聞を新聞受け部５で受けてそのまま積載する。このときペーパースイッチ６はＯＮとなる。
積載量が一定に達した状態で作業者がフットスイッチ２７を押すと、ＭＣユニット３０は、モータ７を駆動させて昇降台４を上昇させ、上限スイッチ１８がＯＮしたら昇降台４を停止させる。よって、作業者は図７に二点鎖線で示す上限位置で新聞受け部５から新聞を取り出すことができる。新聞を取り出してペーパースイッチ６がＯＦＦすると、ＭＣユニット３０はモータ７を駆動させて昇降台４を下限スイッチ１９がＯＮするまで下降させ、再び新聞受け部５を下限位置で待機させる。なお、上昇時或いは下降時に停止キーを押せば昇降台４の昇降動作は停止する。
【００１６】
一方、図９，１０に示すように、新聞の排出位置Ｐが上側となる新聞包装機４１に対して使用する場合は、新聞受け部５の待機位置を排出位置Ｐに合わせて変更する。これは、モード選択キーで高さ調整モードを選択した後、＋−キーで予め設定された５段階の高さのうちの何れかの高さを選択することで行われる。この５段階の各高さは、中間センサ２１による検出板２２の検出位置からエンコーダ２６のパルス信号をカウントして設定されている。選択した中間位置が待機位置として記憶される。
【００１７】
よって、電源を投入した際、ＭＣユニット３０は、モータ７を駆動させて、昇降台４を中間センサ２１による検出板２２の検出位置まで上昇或いは下降させた後、エンコーダ２６のパルス信号をカウントして記憶された待機位置となるまで昇降台４を上昇或いは下降させる。なお、この場合もペーパースイッチ６のＯＦＦ状態でフットスイッチ２７を押すことでもＭＣユニット３０は昇降台４を中間センサ２１の検出位置まで上昇或いは下降させた後、実線で示す待機位置まで新聞受け部５を上昇或いは下降させる。
【００１８】
こうして新聞受け部５が待機位置にある状態で、新聞包装機４１でフィルムで包装されて排出される新聞を新聞受け部５で受けてそのまま積載する。このときペーパースイッチ２７はＯＮとなる。
積載量が一定に達した状態で作業者がフットスイッチ２７を押すと、ＭＣユニット３０は、モータ７を駆動させて昇降台４を上昇させ、上限スイッチ１８がＯＮしたら昇降台４を停止させる。よって、作業者は図９に二点鎖線で示す上限位置で新聞受け部５から新聞を取り出すことができる。新聞を取り出してペーパースイッチ６がＯＦＦすると、ＭＣユニット３０はモータ７を駆動させて昇降台４及び新聞受け部５を再び待機位置で待機させる。
【００１９】
このように、上記形態の昇降機１によれば、新聞受け部５の待機位置を、新聞包装機４０，４１からの新聞の排出位置に合わせて変更可能としたことで、新聞の排出位置Ｐが異なる新聞包装機４０，４１にも容易に対応して使用でき、汎用性に優れる。
【００２０】
なお、上記形態では、新聞受け部の待機位置を下限位置と中間位置との２つとしているが、中間位置を増やしてさらに異なる新聞包装機の排出位置に対応できるようにしてもよい。
その他、本体の形態、昇降台や新聞受け部の形態等は適宜設計変更可能である。
【符号の説明】
【００２１】
１・・新聞包装機用昇降機、２・・ベース、３・・本体、４・・昇降台、５・・新聞受け部、７・・モータ、１０，１１・・回転軸、１５・・チェーン、１８・・上限スイッチ、１９・・下限スイッチ、２０・・当接板、２１・・中間センサ、２２・・検出板、２６・・エンコーダ、２７・・フットスイッチ、３０・・ＭＣユニット、３１・・操作パネル、４０，４１・・新聞包装機。
【図１】
2013124163.tif 000003
【図２】
2013124163.tif 000004
【図３】
2013124163.tif 000005
【図４】
2013124163.tif 000006
【図５】
2013124163.tif 000007
【図６】
2013124163.tif 000008
【図７】
2013124163.tif 000009
【図８】
2013124163.tif 000010
【図９】
2013124163.tif 000011
【図１０】
2013124163.tif 000012